(57)【特許請求の範囲】
【請求項１】
Ｘ線を曝射するＸ線管と、
一対のフィルタを開閉することにより前記Ｘ線管から曝射されたＸ線エネルギーを減少させると共に、前記一対のフィルタの各フィルタは少なくとも２種類の厚みのフィルタ部分を合わせ持つように形成されているＸ線透過フィルタと、
前記各フィルタにおける厚みの異なるフィルタ部分を前記開閉方向に移動させることにより撮影対象の大きさに応じて切り替える切替手段とを備えることを特徴とするＸ線撮影装置。
【請求項２】
Ｘ線を曝射するＸ線管と、
一対のフィルタを開閉することにより前記Ｘ線管から曝射されたＸ線エネルギーを減少させると共に、前記一対のフィルタの各フィルタは少なくとも２種類の材質のフィルタ部分を合わせ持つように形成されているＸ線透過フィルタと、
前記各フィルタにおける材質の異なるフィルタ部分を前記開閉方向に移動させることにより撮影対象の大きさに応じて切り替える切替手段とを備えることを特徴とするＸ線撮影装置。
【請求項３】
前記一対のフィルタの各フィルタは、対向する部分が心臓の形状に適合するように互いに形状の異なるように形成されていることを特徴とする請求項１または２記載のＸ線撮影装置。
【請求項４】
撮影対象として大人モードあるいは子供モードを設定する設定手段と、
前記設定手段による設定に応じて、前記切替手段を制御する制御手段とを備えることを特徴とする請求項１乃至３記載のＸ線撮影装置。
【請求項５】
前記切替手段は、前記各フィルタを回転させることにより、該各フィルタにおける厚み、材質あるいは形状の異なるフィルタ部分を切り替えることを特徴とする請求項１乃至４記載のＸ線撮影装置。
【請求項６】
前記切替手段による前記各フィルタにおける厚み、材質あるいは形状の異なるフィルタ部分を切り替えに応じて、現在設定されている側のフィルタ部分のモード情報を通知する通知手段を備えることを特徴とする請求項１乃至５記載のＸ線撮影装置。
【発明の詳細な説明】
【０００１】
【産業上の利用分野】
本発明は、Ｘ線を用いて被検体の撮影を行うＸ線撮影装置に関し、特にＸ線エネルギーを減少させるＸ線透過フィルタを変更することが可能なＸ線撮影装置に関するものである。
【０００２】
【従来の技術】
近年、Ｘ線を用いて心臓や血管を撮影するＸ線撮影装置が種々提案されている。このようなＸ線撮影装置の代表例を図６に示す。図６に示すようにＸ線撮影装置１００は、患者が載置される寝台１０１と、Ｃアーム１０３を保持する本体１０５と、Ｃアーム１０３の一端に設けられ、Ｘ線を曝射するＸ線管１０７と、Ｘ線管１０７のＸ線曝射側に接合され、Ｘ線量を減少させるＸ線絞り１０９と、Ｃアーム１０３の他端に設けられ、被検体を通過したＸ線像を光学像に変換するイメージインテンシファイア（以下Ｉ．Ｉと記す）１１１と、Ｉ．Ｉ１１１の光学像出力側（Ｘ線像入射側と対向する側）に接合され、レンズから成る光学系１１３と、光学系１１３の光学像出力側に設けられ、光学像を撮像するＴＶカメラ１１５と、ＴＶカメラ１１５により撮像された光学像を画面上に表示する表示部１１７とを有している。
【０００３】
このようなＸ線撮影装置１００では、検査部位をＸ線透視またはＸ線撮影すると、Ｘ線透過率の大きい部位、特に心臓の周辺ではＩ．Ｉ１１１に入射するＸ線エネルギーが大きすぎるため、ハレーションを起こし検査に支障を来す。前記ハレーションを防止するため、Ｘ線絞り１０９内部にＸ線透過フィルタを構成し、透視像を観察しながら前記Ｘ線透過フィルタを寝台１０１に設けられた操作部１１９を用いて回転させて図７に示すように心臓の形状に適合するように最適な位置に設定している。
【０００４】
このとき特に大人と子供では心臓の形状やＸ線透過率が大きく異なるため、Ｘ線透過フィルタの形状やＸ線透過率を変更する必要がある。このため、前記Ｘ線透過フィルタを交換可能なＸ線絞り１０９を備えるＸ線撮影装置１００も提案されている。
【０００５】
前記Ｘ線透過フィルタの交換が可能なＸ線絞り１０９は、図８に示すように、Ｘ線絞り１０９のＸ線出射側のＸ線と直交する面に設けられ、Ｘ線を透過させる載置板１２１と、Ｘ線透過フィルタ１２３を載置板１２１に載置させた状態でＸ線透過フィルタ１２３を保護するアクリルカバー１２５と、Ｘ線絞り１０９のＸ線出射側に上面に設けられた上面カバー１２７とを備えている。
【０００６】
尚、Ｘ線透過フィルタ１２３は、載置板１２１と接触する側に金属板が接合されており、載置板１２１の周囲部分に設けられたマグネットにより載置板１２１と固定される。Ｘ線透過フィルタ１２３を載置板１２１上に設定するには、上面カバー１２７とアクリルカバー１２５を開き、所望のＸ線透過フィルタ１２３を載置板１２１に載置した後、アクリルカバー１２５と上面カバー１２７を閉じることにより行われる。
【０００７】
【発明が解決しようとする課題】
しかしながら、従来のＸ線撮影装置１００では、Ｘ線絞り１０９が寝台１０１の下部にあるため、Ｘ線透過フィルタ１２３を交換する場合、操作者は寝台１０１の下部に潜り込むかＣアーム１０３を回転させる必要があった。さらに、Ｘ線透過フィルタ１２３を交換する場合、操作者は上面カバー１２７とアクリルカバー１２５を開き、Ｘ線透過フィルタ１２３を取り出し、所望のＸ線透過フィルタ１２３を載置板１２１に載置した後、アクリルカバー１２５と上面カバー１２７を閉じるという作業を行う必要があった。これらのため、Ｘ線透過フィルタ１２３の交換作業が繁雑であった。
【０００８】
本発明は、上記課題に鑑みてなされたもので、被検体のＸ線透過率に適したＸ線透過フィルタに容易に変更することが可能なＸ線撮影装置を提供することを目的とする。
【０００９】
【課題を解決するための手段】
上記目的を達成するために、請求項１に記載の発明は、Ｘ線を曝射するＸ線管と、一対のフィルタを開閉することにより前記Ｘ線管から曝射されたＸ線エネルギーを減少させると共に、前記一対のフィルタの各フィルタは少なくとも２種類の厚みのフィルタ部分を合わせ持つように形成されているＸ線透過フィルタと、
前記各フィルタにおける厚みの異なるフィルタ部分を前記開閉方向に移動させることにより撮影対象の大きさに応じて切り替える切替手段とを備えることを要旨とする。
【００１０】
また、請求項２に記載の発明は、Ｘ線を曝射するＸ線管と、一対のフィルタを開閉することにより前記Ｘ線管から曝射されたＸ線エネルギーを減少させると共に、前記一対のフィルタの各フィルタは少なくとも２種類の材質のフィルタ部分を合わせ持つように形成されているＸ線透過フィルタと、前記各フィルタにおける材質の異なるフィルタ部分を前記開閉方向に移動させることにより撮影対象の大きさに応じて切り替える切替手段とを備えることを要旨とする。
【００１５】
【作用】
請求項１に記載のＸ線撮影装置によれば、Ｘ線を曝射するＸ線管と、一対のフィルタを開閉することにより前記Ｘ線管から曝射されたＸ線エネルギーを減少させると共に、前記一対のフィルタの各フィルタは少なくとも２種類の厚みのフィルタ部分を合わせ持つように形成されているＸ線透過フィルタと、前記各フィルタにおける厚みの異なるフィルタ部分を撮影対象の大きさに応じて回転させて切り替える切替手段とを備えることにより、被検体のＸ線透過率に適したＸ線透過フィルタに容易に変更できる。
【００１６】
また、請求項２に記載のＸ線撮影装置によれば、Ｘ線を曝射するＸ線管と、一対のフィルタを開閉することにより前記Ｘ線管から曝射されたＸ線エネルギーを減少させると共に、前記一対のフィルタの各フィルタは少なくとも２種類の材質のフィルタ部分を合わせ持つように形成されているＸ線透過フィルタと、前記各フィルタにおける材質の異なるフィルタ部分を撮影対象の大きさに応じて回転させて切り替える切替手段とを備えることにより、被検体のＸ線透過率に適したＸ線透過フィルタに容易に変更できる。
【００１８】
【実施例】
以下、本発明に係る一実施例を図面を参照して説明する。図１は本発明に係る第１実施例のＸ線撮影装置のＸ線絞りの構成を示したブロック図である。尚、実施例では被検体として心臓のＸ線透過像を得る場合を例に説明する。また、本発明に係るＸ線撮影装置の外観構成は図４に示す従来のＸ線撮影装置１００と同一であるので、図示および説明を省略した。
【００１９】
図１に示すように、第１実施例のＸ線撮影装置のＸ線絞り１０は、中央部にＸ線の通過する角穴１１ａの設けられた円盤状のテーブル１１と、テーブル１１上の周囲部に設けられた１対の移動部１３-1，１３-2とを備えている。
【００２０】
移動部１３-1，１３-2は各々、環状体１５に雌ねじを設け、歯車１７ａ，１７ｂを介してモータ１９から回転が伝達される棒状のリードねじ２１に設けられた雄ねじに前記雌ねじを螺合して成る。また、環状体１５の被検体側にはＸ線の透過量を減少させるＸ線透過フィルタ（以下、フィルタと記す）２３が着脱可能に保持される固定部２５が接合されている。さらに、固定部２５は、移動部１３-1と移動部１３-2でフィルタ２３を保持する高さが異なる。このため、移動部１３-1，１３-2では、固定部２５に保持される一対のフィルタ２３を交差させることができる。
【００２１】
尚、テーブル１１の外周には歯車（図示せず）が設けられ、テーブル用モータ２７の回転軸に設けられた歯車（図示せず）を介してテーブル用モータ２７により回転される。また、テーブル１１は、Ｘ線絞り１０のカバー体に接合された固定部材（図示せず）により回動可能に固定される。
【００２２】
モータ１９およびテーブル用モータ２７の回転制御は、Ｘ線絞り１０内に設けられた移動制御部２９により行われる。尚、移動制御部２９は操作部１１９から供給される命令を基にモータ１９およびテーブル用モータ２７の回転量を決定する。
【００２３】
次に、第１実施例のＸ線撮影装置に用いられるフィルタを図２を用いて説明する。図２に示すように第１実施例のＸ線撮影装置に用いられるフィルタは、左側用の大人用Ｘ線透過フィルタ２３L （以下、大人用フィルタ２３L と記す）と右側用の子供用Ｘ線透過フィルタ２３ｒ（以下、子供用フィルタ２３ｒと記す）を接合させた第１フィルタ２３-1と、右側用の大人用Ｘ線透過フィルタ２３R （以下、大人用フィルタ２３R と記す）と左側用の子供用Ｘ線透過フィルタ２３l （以下、子供用フィルタ２３l と記す）を接合させた第２フィルタ２３-2とから成る。
【００２４】
第１フィルタ２３-1，第２フィルタ２３-2では、図２（ａ）に示すように大人用フィルタ２３L ，２３R 面が被検体へのＸ線曝射分布を変えるようにセットする、すなわち大人用フィルタ２３L ，２３R 面を中央方向に向けてセットする大人用フィルタセット状態と、子供用フィルタ２３l ，２３ｒ面が被検体へのＸ線曝射分布を変えるようにセットする、すなわち子供用フィルタ２３l ，２３ｒ面を中央方向に向けてセットする子供用フィルタセット状態に設定される。
【００２５】
尚、大人用フィルタ２３L ，２３R は、子供用フィルタ２３l ，２３ｒに比べ、厚くなっている。さらに、Ｘ線透過フィルタ２３の被検体側端部の形状は、心臓の形状に合わせているため左側用と右側用で形状が異なり、さらに大人用と子供用でも形状が異なる。
【００２６】
また、第１フィルタ２３-1，第２フィルタ２３-2は、シリコーン樹脂に硫酸バリウムを混練したものにより形成されるが、含鉛アクリル、アルミニウム、鉄、銅、銅合金等により形成されるようにしても良い。
【００２７】
次に、第１実施例の操作部１１９を図３を用いて説明する。第１実施例のＸ線撮影装置の操作部１１９は、第１フィルタ２３-1，第２フィルタ２３-2の移動を操作するため、図３に示すような操作パネル４０を備える。
【００２８】
操作パネル４０は、図３に示すように第１フィルタ２３-1移動操作用の第１フィルタ移動スイッチ４１と、第２フィルタ２３-2移動操作用の第２フィルタ移動スイッチ４３と、第１フィルタ２３-1，第２フィルタ２３-2を大人用フィルタセット状態にする大人モードと第１フィルタ２３-1，第２フィルタ２３-2を子供用フィルタセット状態にする子供モードのいずれかに切り換えるモード切換えスイッチ４５とを有する。
【００２９】
第１フィルタ移動スイッチ４１は、左右方向に微小に動かすことができる。この第１フィルタ移動スイッチ４１を左右方向に動かすことにより第１フィルタ２３-1がその方向に対応して移動される。
【００３０】
第２フィルタ移動スイッチ４３は、左右方向および上下方向に微小に動かすことができる。この第２フィルタ移動スイッチ４１を左右方向の動かすことにより第２フィルタ２３-1がその方向に対応して移動される。また第２フィルタ移動スイッチ４１を上に動かすことによりテーブル１１が左回転され、第２フィルタ移動スイッチ４１を下に動かすことによりテーブル５１が右回転される。
【００３１】
モード切り換えスイッチ４５は、点灯機能付きのキースイッチであり、キーを押すことにより大人モードと子供モードに切り換えることができる。また、モード切り換えスイッチ４５では、設定されている側のモードを示す文字が点灯される。これにより操作者は、設定されているモードを知ることができる。
【００３２】
次に、第１実施例のＸ線撮影装置のＸ線絞り１０の動作を説明する。まず、Ｘ線撮影装置の電源を投入する。電源が投入されると、移動制御部２９はモータ１９とテーブル用モータ２７を回転させることにより、テーブル１１とＸ線透過フィルタ２３を予め決められた初期の位置に移動させる。尚、ここではＸ線透過フィルタ２３の初期の位置は、大人用フィルタセット状態とする。次いで操作者は、患者を寝台１０１（図３参照）に載置させる。
【００３３】
この状態で操作者は、操作部１１９の操作パネル４０を用いて大人モード、子供モードのいずれかに設定する。
【００３４】
ここで大人モードが操作者により設定された場合、操作部１１９は、大人用フィルタセット状態に第１フィルタ２３-1，第２フィルタ２３-2を設定する旨を示命令を移動制御部２９に出力する。
【００３５】
大人用フィルタセット状態に設定する旨を示す命令が出力されると移動制御部２９は、モータ１９を回転させずそのままとする。これにより第１フィルタ２３-1，第２フィルタ２３-2は、大人用フィルタセット状態となる。
【００３６】
次いで操作者は操作パネル４０の第２フィルタ移動スイッチ４３を上下方向に動かすことによりテーブル１１を回転させて心臓の向きに第１フィルタ２３-1，第２フィルタ２３-2を合わせるとともに、操作パネル４０の第１フィルタ移動スイッチ４１と第２フィルタ移動スイッチ４３を用いて第１フィルタ２３-1，第２フィルタ２３-2の開閉量を微調整して心臓に適合させる。
【００３７】
また、子供モードが操作者により設定された場合、操作部１１９は、子供用フィルタセット状態に第１フィルタ２３-1，第２フィルタ２３-2を設定させる命令を移動制御部２９に出力する。
【００３８】
子供用フィルタセット状態に設定する旨を示す命令が出力されると移動制御部２９は、モータ１９を予め決められた回転数だけ回転させて第１フィルタ２３-1と第２フィルタ２３-2を子供用フィルタセット状態にする。
【００３９】
次いで操作者は操作パネル４０の第２フィルタ移動スイッチ４３を上下方向に動かすことによりテーブル１１を回転させて心臓の向きに第１フィルタ２３-1，第２フィルタ２３-2を合わせるとともに、操作パネル４０の第１フィルタ移動スイッチ４１と第２フィルタ移動スイッチ４３を用いて第１フィルタ２３-1，第２フィルタ２３-2の開閉量を微調整して心臓に適合させる。
【００４０】
このとき、第１フィルタ移動スイッチ４１，第２フィルタ移動スイッチ４３による第１フィルタ２３-1，第２フィルタ２３-2の移動範囲が大人モード、子供モードに応じて適宜制限される。例えば大人モードが選択されているときに第１フィルタ移動スイッチ４１，第２フィルタ移動スイッチ４３を操作したとしても、子供用フィルタセット状態になることはない。このため、診断中にセットされているモードがどちらか分からなくなることがない。
【００４１】
また、固定部２５はフィルタ２３を着脱可能に保持しているので、固定部２５に保持されるフィルタの種類を変えることにより、Ｘ線透過率、形状をフィルタ２３以外に変えることも可能となる。
【００４２】
このように第１実施例のＸ線撮影装置のＸ線絞り１０では、第１フィルタ２３-1と第２フィルタ２３-2とを、モード切り替えスイッチ４５により設定されたモードに合わせて大人フィルタセット状態もしくは子供フィルタセット状態にし、第１フィルタ移動スイッチと第２フィルタ移動スイッチの動きに合わせて第１フィルタ２３-1と第２フィルタ２３-2とを移動させているので、被検体の大きさ、形状に適したフィルタ２３に容易に変更することが可能となる。
【００４３】
図４は本発明に係る第２実施例のＸ線撮影装置のＸ線絞りの構成を示したブロック図である。尚、図１に示す第１実施例と同一部材には同一の符号を付して説明は省略した。
【００４４】
第２実施例のＸ線撮影装置のＸ線絞り５０は、第１フィルタ２３-1専用のテーブル１１とテーブル１１を回転させるテーブル用モータ２７-1および第２フィルタ２３-2専用のテーブル５１とテーブル５１を回転させるテーブル用モータ２７-2を備え、第１フィルタ２３-1と第２フィルタ２３-2とを個別に回転させることができようにしたものである。
【００４５】
尚、テーブル５１には、テーブル１１の角穴１１ａと同様の角穴５１ａを備える。また、角穴５１ａを丸穴にしても良い。この場合、テーブル１１とテーブル５１が独立に回転することにより生じる開口面積の減少を防止することができる。
【００４６】
次に、第２実施例の操作部１１９を図５を用いて説明する。第２実施例のＸ線撮影装置の操作部１１９は、第１フィルタ２３-1，第２フィルタ２３-2の開閉移動、回転移動を独立に操作するため、図３に示すような操作パネル７０を備える。
【００４７】
操作パネル７０は、図３に示すように第１フィルタ２３-1移動操作用の第１フィルタ移動スイッチ７１と、第２フィルタ２３-2移動操作用の第２フィルタ移動スイッチ７３と、第１フィルタ２３-1，第２フィルタ２３-2を大人用フィルタセット状態にする大人モードと第１フィルタ２３-1，第２フィルタ２３-2を子供用フィルタセット状態にする子供モードのいずれかに切り換えるモード切換えスイッチ７５とを有する。
【００４８】
第１フィルタ移動スイッチ７１は、左右方向および上下方向に微小に動かすことができる。第１フィルタ２３-1は、第１フィルタ移動スイッチ７１を左右方向に動かすことにより、その方向に対応して移動される。また、テーブル１１は、第１フィルタ移動スイッチ７１を上に動かすことにより左回転、第２フィルタ移動スイッチ７１を下に動かすことにより右回転される。
【００４９】
第２フィルタ移動スイッチ７３は、左右方向および上下方向に微小に動かすことができる。第２フィルタ２３-2は、第２フィルタ移動スイッチ７３を左右方向に動かすことにより、その方向に対応して移動される。また、テーブル５１は、第２フィルタ移動スイッチ７３を上に動かすことにより左回転、第２フィルタ移動スイッチ７３を下に動かすことにより右回転される。
【００５０】
モード切り換えスイッチ７５は、点灯機能付きのキースイッチであり、キーを押すことにより大人モードと子供モードに切り換えることができる。また、モード切り換えスイッチ７５では、設定されている側のモードを示す文字が点灯される。これにより設定されているモードを知ることができる。
【００５１】
また、第２実施例の移動制御部２９は、前述の第１実施例の動作に加えてテーブル１１とテーブル５１の回転を独立に制御する。
【００５２】
このため、第２実施例のＸ線撮影装置のＸ線絞り５０は、第１実施例のＸ線撮影装置のＸ線絞り１０の効果に加え、第１フィルタ２３-1と第２フィルタ２３-2とを独立に回転操作することができるので、被検体の大きさ、形状に合わせて最適な位置に第１フィルタ２３-1と第２フィルタ２３-2とを移動させることができる。
【００５３】
尚、第１実施例のＸ線撮影装置のＸ線絞り１０、第２実施例のＸ線撮影装置のＸ線絞り５０では、共にフィルタ２３の厚さを変えることによりＸ線透過率を大人用と子供用に変えているが、厚さは同一にしてＸ線透過率の異なる材質を用いることによりＸ線透過率を大人用と子供用に変えるようにしても良い。
【００５４】
また、第１実施例のＸ線撮影装置のＸ線絞り１０、第２実施例のＸ線撮影装置のＸ線絞り５０では、共に大人用と子供用でフィルタ２３を変更させているが、被検体の大きさ等を基準にフィルタ２３を変更させるようにしても良い。
【００５５】
さらに、第１実施例のＸ線撮影装置のＸ線絞り１０、第２実施例のＸ線撮影装置のＸ線絞り５０共に更にテーブルを増やしてフィルタ２３の数を増加するようにしても良い。この場合、本実施例のＸ線撮影装置に比べて移動操作可能なフィルタ２３の種類が増加するので、より最適なフィルタ２３を選択することができる。
【００５６】
【発明の効果】
以上説明したように本発明は、Ｘ線を曝射するＸ線管と、一対のフィルタを開閉することにより前記Ｘ線管から曝射されたＸ線エネルギーを減少させると共に、前記一対のフィルタの各フィルタは少なくとも２種類の厚みまたは材質のフィルタ部分を合わせ持つように形成されているＸ線透過フィルタと、前記各フィルタにおける異なるフィルタ部分を撮影に応じて切り替える切替手段とを備えることにより、被検体のＸ線透過率に適したＸ線透過フィルタに容易に変更できるという効果を奏する。
【図面の簡単な説明】
【図１】本発明に係る第１実施例のＸ線撮影装置のＸ線絞りの構成を示したブロック図。
【図２】図１に示したＸ線撮影装置のＸ線絞りに用いられるＸ線透過フィルタを示す図。
【図３】図１に示したＸ線撮影装置のＸ線絞りに用いられる操作パネルを示す図。
【図４】本発明に係る第２実施例のＸ線撮影装置のＸ線絞りの構成を示したブロック図。
【図５】図４に示したＸ線撮影装置のＸ線絞りに用いられる操作パネルを示す図。
【図６】Ｘ線を用いて心臓や血管を撮影するＸ線撮影装置の代表的な概観図。
【図７】心臓の位置に合わせてＸ線透過フィルタ位置させた場合を示す説明図。
【図８】Ｘ線透過フィルタの交換が可能な従来のＸ線撮影装置のＸ線絞りの例を示す図。
【符号の説明】
１０  Ｘ線絞り
１１，５１  テーブル
１１ａ，５１ａ  角穴
１３-1，１３-2  移動部
１５  環状体
１７ａ，１７ｂ  歯車
１９  モータ
２１  リードねじ
２３-1  第１フィルタ
２３-2  第２フィルタ
２３L   左側用の大人用フィルタ
２３R   右側用の大人用フィルタ
２３l   左側用の子供用フィルタ
２３ｒ  右側用の子供用フィルタ
２５  固定部
２７  テーブル用モータ
２９  移動制御部
４０，７０  操作パネル
４１，７１  第１フィルタ移動スイッチ
４３，７３  第２フィルタ移動スイッチ
４５，７５  モード切換えスイッチ
１００  Ｘ線撮影装置
１０１  寝台
１１９  操作部
【図１】
0003805401.tif 000002
【図２】
0003805401.tif 000003
【図３】
0003805401.tif 000004
【図４】
0003805401.tif 000005
【図５】
0003805401.tif 000006
【図６】
0003805401.tif 000007
【図７】
0003805401.tif 000008
【図８】
0003805401.tif 000009